(57)【要約】      （修正有）【課題】一方の建物と他方の建物とが地震で異なる前後方向へ揺れ動き、一方の目地カバーと他方の目地カバーとが回動しても、一方の建物の目地部側躯体と一方の目地カバー間および、他方の目地部側躯体と他方の目地カバー間の止水を損傷することなく確実に図ることができる壁用目地装置を提供する。【解決手段】左右の建物の目地部側躯体にそれぞれヒンジ部材７を介して取付けられた一方の目地カバー１７および他方の目地カバー１８を用いた壁用目地装置において、一方の目地カバーおよび他方の目地カバーの後端部にそれぞれ取付けられた可動側止水シート受けレールと、左右の目地部側躯体に取付けられた固定側止水シート受けレールと、この固定側止水シート受けレールと可動側止水シート受けレールに両端部が取付けられた止水シート２７と、固定側止水シート受けレールと左右の目地部側躯体間に充填されたシール剤３２とを用いて壁用目地装置を構成する。【選択図】図２
2009057697.tif 000002
【特許請求の範囲】
【請求項１】
目地部を介して建てられた左右の建物の目地部側躯体にそれぞれヒンジ部材を介して取付けられた一方の目地カバーおよび他方の目地カバーを用いた目地部を伸縮可能に覆う壁用目地装置において、前記一方の目地カバーおよび他方の目地カバーの後端部にそれぞれ取付けられた可動側止水シート受けレールと、この可動側止水シート受けレールと対応する部位の左右の目地部側躯体に取付けられた固定側止水シート受けレールと、この固定側止水シート受けレールと前記可動側止水シート受けレールに両端部がシート押えを用いて取付けられた該固定側止水シート受けレールと可動側止水シート受けレール間の寸法が変化しても吸収することができる長さの止水シートと、前記固定側止水シート受けレールと前記左右の目地部側躯体間に充填されたシール剤とを用いたことを特徴とする壁用目地装置。
【発明の詳細な説明】
【技術分野】
【０００１】
本発明は左右の建物の目地部に異なる前後左右方向の揺れ動きを吸収することができるように設けられた壁用目地装置に関する。
【背景技術】
【０００２】
従来、この種の壁用目地装置は一方の建物の目地部側躯体にヒンジ部材を介して取付けられた一方の目地カバーと、他方の建物の目地部側躯体にヒンジ部材を介して取付けられた他方の目地カバーが設けられ、該他方の目地カバーの後端部と他方の建物の目地部側躯体および、一方の目地カバーの後端部と一方の建物の目地部側躯体との間に止水を図るためにシール剤を充填していた。
【０００３】
このため、一方の建物の目地部側躯体と一方の建物の目地カバー間および、他方の建物の目地部側躯体と他方の目地カバー間の止水を図ることができるが、地震等によって一方の建物と他方の建物が異なる前後方向に揺れ動いた場合、一方の目地カバーと他方の目地カバーが回動し、シール剤部分が伸縮し、切れたりして十分に止水を図ることができなくなるという欠点があった。
また、シール剤の経年変化によって、一方の目地カバーや他方の目地カバーの回動を阻止するように作用したりするという欠点があった。
【特許文献１】特許第３２０４９４３号
【特許文献２】特許第３６９４６５７号
【発明の開示】
【発明が解決しようとする課題】
【０００４】
本発明は以上のような従来の欠点に鑑み、一方の建物と他方の建物とが地震で異なる前後方向へ揺れ動き、一方の目地カバーと他方の目地カバーとが回動しても、一方の建物の目地部側躯体と一方の目地カバー間および、他方の目地部側躯体と他方の目地カバー間の止水を損傷することなく確実に図ることができるとともに、シール剤に一方の目地カバーと他方の目地カバーの回動時の引っ張りや押し圧等の荷重が加わるのを阻止して、シール剤の損傷を効率よく阻止し、かつシール剤が一方の目地カバーと他方の目地カバーの回動時の負荷にならず、スムーズに回動させることができる壁用目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は目地部を介して建てられた左右の建物の目地部側躯体にそれぞれヒンジ部材を介して取付けられた一方の目地カバーおよび他方の目地カバーを用いた目地部を伸縮可能に覆う壁用目地装置において、前記一方の目地カバーおよび他方の目地カバーの後端部にそれぞれ取付けられた可動側止水シート受けレールと、この可動側止水シート受けレールと対応する部位の左右の目地部側躯体に取付けられた固定側止水シート受けレールと、この固定側止水シート受けレールと前記可動側止水シート受けレールに両端部がシート押えを用いて取付けられた該固定側止水シート受けレールと可動側止水シート受けレール間の寸法が変化しても吸収することができる長さの止水シートと、前記固定側止水シート受けレールと前記左右の目地部側躯体間に充填されたシール剤とを用いて壁用目地装置を構成している。
【発明の効果】
【０００７】
以上の説明から明らかなように、本発明にあっては次に列挙する効果が得られる。
【０００８】
（１）目地部を介して建てられた左右の建物の目地部側躯体にそれぞれヒンジ部材を介して取付けられた一方の目地カバーおよび他方の目地カバーを用いた目地部を伸縮可能に覆う壁用目地装置において、前記一方の目地カバーおよび他方の目地カバーの後端部にそれぞれ取付けられた可動側止水シート受けレールと、この可動側止水シート受けレールと対応する部位の左右の目地部側躯体に取付けられた固定側止水シート受けレールと、この固定側止水シート受けレールと前記可動側止水シート受けレールに両端部がシート押えを用いて取付けられた該固定側止水シート受けレールと可動側止水シート受けレール間の寸法が変化しても吸収することができる長さの止水シートと、前記固定側止水シート受けレールと前記左右の目地部側躯体間に充填されたシール剤とで構成されているので、一方の目地カバーと他方の目地カバーが回動しても、従来のようにシール剤に引っ張りや押し圧等の荷重が加わるのを防止できる。
したがって、シール剤の損傷を効率よく阻止することができる。
【０００９】
（２）前記（１）によって、一方の目地カバーと他方の目地カバーに直接シール剤が固定されていないので、スムーズに一方の目地カバーと他方の目地カバーの回動を確保することができる。
【００１０】
（３）前記（１）によって、シール剤と止水シートによって確実に止水を図ることができる。
【００１１】
（４）前記（１）によって、伸縮部分に止水シートを配置し、固定部分にシール剤を配置しているので、固定部分と伸縮部分とを分離して、止水できるようにしている。
したがって、固定部分と伸縮部分とに適切なシール方式を採用することができる。
【発明を実施するための最良の形態】
【００１２】
以下、図面に示す本発明を実施するための最良の形態により、本発明を詳細に説明する。
【００１３】
図１ないし図８に示す本発明を実施するための最良の第１の形態において、１は目地部２を介して設けられた一方の建物３と他方の建物４の目地部２を覆う部分に目地部側躯体３ａ、４ａに両端部が取付けられた本発明の壁用目地装置で、この壁用目地装置１は前記一方の目地部側躯体３ａと他方の目地部側躯体４ａに複数本のタッピングビス５、５等によって固定されたアングル状の取付片６を有する少なくとも一対、本発明を実施する形態では２対のヒンジ部材７、７と、このヒンジ部材７、７の可動部材７ａ、７ａに溶接等で固定された枢支ピン８を用いた枢支金具９、９に両端部が枢支されたパンタグラフ状の２個の中央維持機構１０、１０と、この中央維持機構１０、１０の中央枢支部１１、１１に中央部が枢支ピン１２で枢支された中央目地カバー支持金具１３、１３と、この中央目地カバー支持金具１３、１３に取付けられた両端部が前方へ突出する支持片１４、１４を有する中央目地カバー１５と、前記ヒンジ部材７、７の可動部材７ａ、７ａの先端部に後端部が固定され、先端部が前記中央目地カバー１５の端部からほぼ４分の１位部分に位置する内側へ突出する支持片１６を有する一方の目地カバー１７および他方の目地カバー１８と、この一方の目地カバー１７および他方の目地カバー１８の後端部に固定されたクランク状の可動側止水シート受けレール１９、１９と、この可動側止水シート受けレール１９、１９と対応する部位の一方の建物３の目地部側躯体３ａおよび、他方の建物４の目地部側躯体４ａに複数本のタッピングビス２０で固定されたアングル状の取付板２１、この取付板２１に複数本のビス２２で固定されたＦ字状の固定側止水シート受けレール２３、２３と、この固定側止水シート受けレール２３、２３のシート受け部２４、２４に一端部が挿入され、他端部が前記可動側止水シート受けレール１９、１９で形成されるシート受け部２５、２５に挿入される、ほぼＶ字状に配置される両端部に嵌合片２６、２６が形成されたゴムや合成樹脂材製の止水シート２７、２７と、この止水シート２７、２７の両端部を固定する前記固定側止水シート受けレール２３、２３に複数本のビス２８で固定されるＺ字状のシート押え２９、２９および前記一方の目地カバー１７、他方の目地カバー１８に複数本のビス３０、３０で固定される板状のシート押え３１、３１と、このシート押え３１、３１と前記一方の建物３の目地部側躯体３ａおよび、他方の建物４の目地部側躯体４ａとの間に充填されたシール剤３２、３２とで構成されている。
【００１４】
上記構成の壁用目地装置１は一方の建物３と他方の建物４が地震によって異なる左右方向に揺れ動いた場合、図６および図７に示すように目地部２が広くなると中央維持機構１０、１０が伸長し、一方の目地カバー１７と他方の目地カバー１８が中央目地カバー１５上をスライド移動し、その揺れ動きを吸収し、目地部２が狭くなると中央維持機構１０、１０は収縮し、一方の目地カバー１７と他方の目地カバー１８は中央目地カバー１５上を中央部方向へスライド移動し、その揺れ動きを吸収する。
【００１５】
一方の建物３と他方の建物４が異なる前後方向に揺れ動いた場合、図８に示すようにヒンジ部材７、７の可動部材７ａ、７ａが回動して、その揺れ動きを吸収するとともに、止水シート２７、２７は自由に広がったり、たたまれたりしてシール剤３２、３２に引っ張りや押し圧の荷重を加えることなく、その揺れ動きを吸収することができる。
[発明を実施するための異なる形態]
【００１６】
次に、図９ないし図１６に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１７】
図９ないし図１２に示す本発明を実施するための第２の形態において、前記本発明を実施するための最良の第１の形態と主に異なる点は、目地部側躯体に複数本のタッピングビス２０で直接固定することができる取付板３３が一体形成された固定側止水シート受けレール２３Ａ、２３Ａを用いるとともに、Ｍ字状となるように止水シート２７、２７を配置した点で、このように構成した壁用目地装置１Ａにしても、前記本発明を実施するための最良の第１の形態と同様な作用効果が得られる。
【００１８】
図１３ないし図１６に示す本発明を実施するための第３の形態において、前記本発明を実施するための最良の第１の形態と主に異なる点は、先端部にシート押えとして使用できるカギ部３４が形成された可動側止水シート受けレール１９Ａ、１９Ａを用いるとともに、止水シート２７、２７をΩ字状に配置した点で、このように構成した壁用目地装置１Ｂにしても、前記本発明を実施するための最良の第１の形態と同様な作用効果が得られる。
【００１９】
なお、前記本発明を実施する形態では止水シート２７をいろいろな形状となるように配置したが、要は一方の目地カバー１７と他方の目地カバー１８が回動して固定側止水シート受けレール２３、２３と可動側止水シート受けレール１９、１９との間の寸法が変化しても、その変化分だけ広がったり、狭まったりできる状態であればよい。
また、目地部２を中央目地カバー１５と一方の目地カバー１７、他方の目地カバー１８で異なる前後左右方向に揺れ動いても、その揺れ動きを吸収できるものについて説明したが、本発明はこれに限らず、左右の目地部側躯体にヒンジ部材７、７を介して取付けられる一方の目地カバー１７、他方の目地カバー１８を最低限使用する壁用目地装置本体であれば、同様に使用することができる。
【産業上の利用可能性】
【００２０】
本発明は壁用目地装置を製造する産業で利用される。
【図面の簡単な説明】
【００２１】
【図１】本発明を実施するための最良の第１の形態の正面図。
【図２】図１の２−２線に沿う断面図。
【図３】図２の要部拡大説明図。
【図４】本発明を実施するための最良の第１の形態の固定側止水シート受けレールの説明図。
【図５】本発明を実施するための最良の第１の形態の止水シートの説明図。
【図６】本発明を実施するための最良の第１の形態の目地部が広くなった動作説明図。
【図７】本発明を実施するための最良の第１の形態の目地部が狭くなった動作説明図。
【図８】本発明を実施するための最良の第１の形態の異なる前後方向に揺れた時の動作説明図。
【図９】本発明を実施するための第２の形態の正面図。
【図１０】図９の１０−１０線に沿う断面図。
【図１１】図１０の要部拡大説明図。
【図１２】本発明を実施するための第２の形態の固定側止水シート受けレールの説明図。
【図１３】本発明を実施するための第３の形態の正面図。
【図１４】図１３の１４−１４線に沿う断面図。
【図１５】図１４の要部拡大説明図。
【図１６】本発明を実施するための第３の形態の可動側止水シート受けレールの説明図。
【符号の説明】
【００２２】
１、１Ａ、１Ｂ：壁用目地装置、            ２：目地部、
３：一方の建物、                                  ４：他方の建物、
５：タッピングビス、                          ６：取付片、
７：ヒンジ部材、                                  ８：枢支ピン、
９：枢支金具、                                      １０：中央維持機構、
１１：中央枢支部、                                    １２：枢支ピン、
１３：中央目地カバー支持金具、            １４：支持片、
１５：中央目地カバー、                      １６：支持片、
１７：一方の目地カバー、                        １８：他方の目地カバー、
１９、１９Ａ：可動側止水シート受けレール、
２０：タッピングビス、                      ２１：取付板、
２２：ビス、
２３、２３Ａ：固定側止水シート受けレール、
２４：シート受け部、                          ２５：シート受け部、
２６：嵌合片、                                      ２７：止水シート、
２８：ビス、                                                ２９：シート押え、
３０：ビス、                                                ３１：シート押え、
３２：シール剤、                                  ３３：取付板、
３４：カギ部。
【図１】
2009057697.tif 000003
【図２】
2009057697.tif 000004
【図３】
2009057697.tif 000005
【図４】
2009057697.tif 000006
【図５】
2009057697.tif 000007
【図６】
2009057697.tif 000008
【図７】
2009057697.tif 000009
【図８】
2009057697.tif 000010
【図９】
2009057697.tif 000011
【図１０】
2009057697.tif 000012
【図１１】
2009057697.tif 000013
【図１２】
2009057697.tif 000014
【図１３】
2009057697.tif 000015
【図１４】
2009057697.tif 000016
【図１５】
2009057697.tif 000017
【図１６】
2009057697.tif 000018